(57)【特許請求の範囲】
【請求項１】
ハウジングと、ハウジングに固着されて固定接点を設けた固定接点端子と、基端部及び先端部を有した長尺板状に形成されるとともに、貫通孔を設けた基端部がハウジングに設けられた支持部に先端部を支持されて回動自在に回動する接触子と、接触子の貫通孔から導出されて固定接点に接離する可動接点を設けた一端部が、他端部を接触子に支持されて弾性変位する板状の弾性ばねとを備え、固定接点端子は可動接点を固定接点に弾接した状態で接触子に接触する接触片が突設されたことを特徴とするスイッチ。
【請求項２】
前記可動接点は、前記接触子の貫通孔から導出された貴金属層、及びその貴金属層と接続した卑金属層からなる２層に形成されたことを特徴とする請求項１記載のスイッチ。
【請求項３】
前記固定接点端子は前記接触片が前記接触子の幅方向へ沿って接触するとともに、前記固定接点に隣接して前記接触片に対向した別の接触片が突設されたことを特徴とする請求項１又は請求項２記載のスイッチ。
【発明の詳細な説明】
【０００１】
【発明の属する技術分野】
本発明は、電源スイッチ等に使用されるスイッチに関するものである。
【０００２】
【従来の技術】
従来、この種のスイッチとして、図１０及び図１１に示す構成のものが存在する。このものは、ハウジングＡと、ハウジングＡに固着されて固定接点Ｂ1を設けた固定接点端子Ｂと、基端部Ｃ1及び先端部Ｃ2を有した板状に形成されるとともに、固定接点Ｂ1に接離する可動接点Ｃ3を設けた基端部Ｃ1がハウジングＡに設けられた共通端子Ａ1に先端部Ｃ2を支持されて回動自在に回動する接触子Ｃとを備えている。
【０００３】
さらに詳しくは、接触子Ｃが基端部Ｃ1に貫通孔Ｃ11を設け、可動接点Ｃ3はその貫通孔Ｃ11に挿通されかしめられて接触子Ｃの基端部Ｃ1に固着される。そして、可動接点Ｃ3は共通端子Ａ1に支持された接触子Ｃの回動によって固定接点Ｂ1に接離して、共通端子Ａ1及び固定接点端子Ｂ間をスイッチングさせる。
【０００４】
【発明が解決しようとする課題】
上記した従来のスイッチでは、接触子Ｃが回動して共通端子Ａ1及び固定接点端子Ｂ間をスイッチングできる。
【０００５】
しかしながら、接触子Ｃから固定接点端子Ｂに流れる電流経路が可動接点Ｃ3及び固定接点Ｂ1間経路だけであって、接触子Ｃ及び固定接点端子Ｂ間の接触面積が狭く、大電流を通電したとき固定接点端子Ｂの温度が上昇して、通電する電流容量が制限されるという問題があった。
【０００６】
本発明は、上記問題点に鑑みてなしたもので、その目的とするところは、大電流を通電しても固定接点端子の温度上昇が小さく、通電電流容量を増加できるスイッチを提供することにある。
【０００７】
【課題を解決するための手段】
上記した課題を解決するために、請求項１記載のものは、ハウジングＡと、ハウジングＡに固着されて固定接点２１を設けた固定接点端子２と、基端部３１及び先端部３２を有した長尺板状に形成されるとともに、貫通孔３３を設けた基端部３１がハウジングＡに設けられた共通端子Ａ1に先端部３２を支持されて回動自在に回動する接触子３と、接触子３の貫通孔３３から導出されて固定接点２１に接離する可動接点４３を設けた一端部４１が、他端部４２を接触子３に支持されて弾性変位する板状の弾性ばね４とを備え、固定接点端子２は可動接点４３を固定接点２１に弾接した状態で接触子３に接触する接触片２２が突設された構成にしてある。
【０００８】
請求項２記載のものは、請求項１記載のものにおいて、前記可動接点４３は前記接触子３の貫通孔３３から導出された貴金属層４３ａ、及びその貴金属層４３ａと接続した卑金属層４３ｂからなる２層に形成された構成にしてある。
【０００９】
請求項３記載のものは、請求項１又は請求項２記載のものにおいて、前記固定接点端子２は前記接触片２２が前記接触子３の幅方向へ沿って接触するとともに、前記固定接点２１に隣接して前記接触片２２に対向した別の接触片２３が突設された構成にしてある。
【００１０】
【発明の実施の形態】
本発明の第１実施形態を図１乃至図７に基づいて以下に説明する。
【００１１】
ハウジングＡは、図１０に示す従来例と同一であって、絶縁性の樹脂により、底部Ａ2及び箱形内部を有して略矩形状の有底箱形に形成され、２個の圧入孔が底部Ａ2に、その底部Ａ2から突出した第１突出壁Ａ3及び第２突出壁Ａ4がそれぞれ設けられる。そして、共通端子Ａ1が共通片Ａ11の両端から両方向へ突出した一方突出片Ａ12、及び他方突出片Ａ13を設けて２段に折曲形成され、一方突出片Ａ12が圧入孔に圧入され底部Ａ2に固着されて、他方突出片Ａ13が箱形内部へ導出されて支持部を形成する。
【００１２】
２は固定接点端子で、銅又は銅合金により、図４に示すように、一片２ａ及びその一片２ａから正面略Ｌ字型に折曲された他片２ｂとで形成され、銀合金の貴金属からなる固定接点２１が他片２ｂにかしめられて固着される。
【００１３】
ここで、アール状に面取りされた接触面２２ａを端部に設けた接触片２２が、他片２ｂから切り起こされて固定接点２１に隣接した状態で一片２ａから一体に突設される。そして、一片２ａがハウジングＡの圧入孔に圧入されて、固定接点２１を箱形内部に露出した状態でハウジングＡの底部Ａ2に固着される。
【００１４】
３は接触子で、銅又は銅合金により、図４に示すように、長尺板状に形成され、基端部３１及び先端部３２を有した一片３ａと、その一片３ａの先端部３２から略Ｕ字型に折曲形成されて従来例と同一のＵ字型片３ｂとを有する。貫通孔３３及び突所３４が一片２ａの基端部３１及び先端部３２側にそれぞれ設けられて、先端部３２がハウジングＡに設けられた共通端子Ａ1に支持されて、基端部３１が回動自在に回動する。
【００１５】
４は弾性ばねで、弾性を有した銅合金により、図４に示すように、一端部４１及び他端部４２を有した長尺薄板状に形成され、可動接点４３が一端部４１に、かしめ孔４４が他端部４２にそれぞれ設けられる。そして、接触子３の突所３４がかしめ孔４４に挿通されかしめられることによって、一端部４１が他端部４２を接触子３に支持されて可動自在に弾性変位するとともに、可動接点４３が接触子３の貫通孔３３から導出される。
【００１６】
ここで、可動接点４３が貴金属層４３ａ、及びその貴金属層４３ａと接続した卑金属層４３ｂからなる２層で形成されて、貴金属層４３ａが銀合金で、卑金属層４３ｂがコストの安価な銅であって、貴金属層４３ａが貫通孔３３から導出される。
【００１７】
カバーＤは、図１０に示す従来例と同一であって、絶縁性の樹脂により、底部を有して略矩形状の有底箱形に形成され、凹所Ｄ1が底部に設けられ、ハウジングＡの箱型内部を遮蔽するようそのハウジングＡの側壁に嵌合する。
【００１８】
プランジャーＥは、図１０に示す従来例と同一であって、絶縁性の樹脂により、略四角筒状に形成された操作部Ｅ1、及びその操作部Ｅ1から延設された摺動部Ｅ2を有して構成される。付勢コイルばねＥ3が操作部Ｅ1の筒内部に設けられて、ハウジングＡの第２突出壁Ａ4に当接するとともに、摺動部Ｅ2が第１突出壁Ａ3及カバーＤ間で摺動するようハウジングＡに配置されて、押圧されると摺動自在に摺動する。
【００１９】
押圧ばねＦは、図１０に示す従来例と同一であって、コイル状に形成され、一端がカバーＤの凹所Ｄ1に係合するとともに、他端が接触子３のＵ字型片３ｂに当接してそのＵ字型片３ｂを押圧する。
【００２０】
このものの動作を図１乃至図３に基づいて説明する。図１に示すように、初期状態では可動接点４３が固定接点２１から開離して、固定接点端子２及び共通端子Ａ1間がオフ状態になる。
【００２１】
プランジャーＥは操作部Ｅ1が押圧されると、図２に示すように、ハウジングＡの箱形内部へ向かって摺動し、押圧ばねＦの他端を固定接点２１側へ可動させて、接触子３は基端部３１が共通端子Ａ1に先端部３２を支持されて反時計回り方向へ回動する。そして、可動接点４３の貫通孔３３から導出された貴金属層４３ａが固定接点２１に接触して、固定接点端子２及び共通端子Ａ1間がオン状態になる。
【００２２】
次いで、図３に示すように、弾性ばね４は一端部４１が他端部４２を接触子３に支持されて弾性変位し、可動接点４３が固定接点２１に弾接した状態で、接触子３が固定接点端子２に突設された接触片２２の接触面２２ａに、アークを発生することなく幅方向へ沿って接触する。したがって、接触子３から固定接点端子２に流れる電流経路が可動接点４３及び固定接点２１間経路、並びに接触子３及び接触片２２間経路の２経路に増加して、接触子３及び固定接点端子２間の接触面積が増加する。そして、この状態でプランジャーＥはロックされる。
【００２３】
次いで、プランジャーＥは操作部Ｅ1が再度押圧されてロックが解除されると、付勢ばねＥ3によってハウジングＡの箱形外方へ向かって摺動し、押圧ばねＦの他端を操作部Ｅ1側へ可動させて、接触子３は基端部３１が時計回り方向へ回動し、先ず接触子３が接触片２２の接触面２２ａから、つづいて可動接点４３が固定接点２１から開離して、固定接点端子２及び接触子３間がオフ状態になって初期状態に戻る。
【００２４】
かかる第１実施形態のスイッチにあっては、上記したように、接触片２２が固定接点端子２に突設されて、可動接点４３を固定接点２１に弾接した状態で接触子３に接触するから、接触子３から固定接点端子２に流れる電流経路が可動接点４３及び固定接点２１間経路だけであった従来の一経路から、その可動接点４３及び固定接点２１間経路、並びに接触子３及び接触片２２間経路の２経路に増加して、接触子３及び固定接点端子２間の接触面積が増加するので固定接点端子２の温度上昇を抑制して、通電電流容量を増加させることができる。
【００２５】
また、可動接点４３が接触子３の貫通孔３３から導出された貴金属層４３ａ、及びその貴金属層４３ａと接続した卑金属層４３ｂからなる２層に形成されたから、固定接点２１と接触する接触部のみ貴金属を使用して、貴金属量を減少させてコストダウンを達成することができる。
【００２６】
なお、第１実施形態では、プランジャーＥの操作部Ｅ1を押圧し、押圧ばねＦの他端を固定接点２１側へ可動させて、接触子３の基端部３１が先端部３２を共通端子Ａ1に支持されて回動するものとしたが、回動機構を限定するものではなく、またハウジングＡに設けた別の支持部に先端部３２を支持してもよく、限定されない。
【００２７】
本発明の第２実施形態を図８及び図９に基づいて以下に説明する。なお、第２実施形態では第１実施形態と異なる機能について述べることとし、第１実施形態と実質的に同一機能を有する部材については、同一符号を付して説明を省略する。
【００２８】
第２実施形態では、固定接点端子２は別の接触片２３が他片２ｂの端部から突出し一体に設けられて、固定接点２１に隣接した状態で接触片２２に対向する。そして、可動接点４３が固定接点２１に弾接した状態で、接触子３は接触片２２及び別の接触片２３の両方に幅方向へ沿って接触する。したがって、接触子３から固定接点端子２に流れる電流経路が可動接点４３及び固定接点２１間経路、接触子３及び接触片２２間経路、並びに接触子３及び別の接触片２３間経路の３経路に増加して、接触子３及び固定接点端子２間の接触面積がさらに増加する。
【００２９】
かかる第２実施形態のスイッチにあっては、上記したように、固定接点端子２の接触片２２が接触子３の幅方向へ沿って接触するとともに、固定接点２１に隣接して接触片２２に対向した別の接触片２３が固定接点端子２に突設されたから、接触子３及び別の接触片２３の両方が接触子３に接触して接触面積をさらに増加させるので、固定接点端子２の温度上昇を大幅に抑制することができる。
【００３０】
【発明の効果】
請求項１記載のものは、接触片が固定接点端子に突設されて、可動接点を固定接点に弾接した状態で接触子に接触するから、接触子から固定接点端子に流れる電流経路が可動接点及び固定接点間経路だけであった従来の一経路から、その可動接点及び固定接点間経路並びに接触子及び接触片間経路の２経路に増加して、接触子及び固定接点端子間の接触面積が増加するので固定接点端子の温度上昇を抑制して、通電電流容量を増加させることができる。
【００３１】
請求項２記載のものは、請求項１記載のものの効果に加えて、可動接点が接触子の貫通孔から導出された貴金属層、及びその貴金属層と接続した卑金属層からなる２層に形成されたから、固定接点と接触する接触部のみ貴金属を使用して、貴金属量を減少させてコストダウンを達成することができる。
【００３２】
請求項３記載のものは、請求項１又は請求項２記載のものの効果に加えて、固定接点端子の接触片が接触子の幅方向へ沿って接触するとともに、固定接点に隣接して接触片に対向した別の接触片が固定接点端子に突設されたから、接触子及び別の接触片の両方が接触子に接触して接触面積をさらに増加させるので、固定接点端子の温度上昇を大幅に抑制することができる。
【図面の簡単な説明】
【図１】本発明の第１実施形態を示す部分拡大正断面図である。
【図２】同上の可動接点が固定接点に接触した状態の部分拡大正断面図である。
【図３】同上の接触片が接触子に接触した状態の部分拡大正断面図である。
【図４】同上の固定接点端子、接触子、及び弾性ばねの斜視図である。
【図５】同上の外観を表す正面図である。
【図６】同上の外観を表す平面図である。
【図７】同上の外観を表す側面図である。
【図８】本発明の第２実施形態を示す固定接点端子の斜視図である。
【図９】同上の接触片及び別の接触片が接触子に接触した状態の部分拡大正断面図である。
【図１０】従来例を示す正断面図である。
【図１１】同上の可動接点が固定接点に接触した状態の部分拡大正断面図である。
【符号の説明】
Ａ      ハウジング
Ａ1      共通端子（支持部）
２      固定接点端子
２１    固定接点
２２    接触片
２３    別の接触片（第２実施形態）
３      接触子
３１    基端部
３２    先端部
３３    貫通孔
４      弾性ばね
４１    一端部
４２    他端部
４３    可動接点
４３ａ  貴金属層
４３ｂ  卑金属層
【図１】
0003890753.tif 000002
【図２】
0003890753.tif 000003
【図３】
0003890753.tif 000004
【図４】
0003890753.tif 000005
【図５】
0003890753.tif 000006
【図６】
0003890753.tif 000007
【図７】
0003890753.tif 000008
【図８】
0003890753.tif 000009
【図９】
0003890753.tif 000010
【図１０】
0003890753.tif 000011
【図１１】
0003890753.tif 000012